(57)【特許請求の範囲】
【請求項１】
光透過性を有する基板の一面側の同一平面上に、センターホールから半径方向に区分して異なる密度でピット等の凹凸を形成して成る第１領域及び第２領域を有する信号記録面と、
前記第１領域及び第２領域を覆うよう前記基板の一面側に形成された光透過性保護膜とを備え、
前記基板の他面側表面及び前記光透過性保護膜の表面のいずれか一方における前記第１領域に対応する領域に第１のレーベル印刷部を形成すると共に、他方における前記第２領域に対応する領域に第２のレーベル印刷部を形成して成ることを特徴とする情報記録円盤。
【請求項２】
前記第１及び第２のレーベル印刷部の内、前記センターホール側に形成したレーベル印刷部の光透過率を５０％以上となるように構成したことを特徴とする請求項１記載の情報記録円盤。
【発明の詳細な説明】
【０００１】
【発明の属する技術分野】
本発明は、２種類の記録密度の記録領域を有する光ディスク等の情報記録円盤に関する。
【０００２】
【従来の技術】
一般に、多量の情報を記録再生できる記憶媒体としてＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の情報記録円盤が知られており、各種のデータ、音声信号、ビデオ信号等の記録に用いられている。そして、この種の記憶媒体に関して、現在更に高密度な記録再生が出来る紫レーザを用いた高密度ディスクが開発されつつある。この典型的な例は波長が約405nmの紫レーザを用い、記録再生用レンズをＮＡ０．８５程度に高 めて、光学的保護層の厚さを約０．１ｍｍとし、ＣＤの記録密度の２５〜４０倍の記録密度を有する光ディスクであり、この光ディスクは、ＤＶＤよりも高い記録密度（記憶容量）を有している。
【０００３】
ところで、上述したような記録密度の異なる様々な規格の光ディスクを記録再生する機器について、旧規格の機器に対しては旧規格に基づいて動作を行い、新規格の機器に対しては新規格に基づいて動作させることが好ましく、この点から一枚の光ディスクに異なる記録密度の記録領域を有する光ディスクが提案されている。この種の一枚の光ディスク上に異なる記録密度の情報を記録再生する技術は、例えば特開平6-168499号公報にて、内周側がＣＤと同じ記録密度の領域となり、外周側がＣＤの数倍の高記録密度の領域とした光ディスクを開示している。また、ＣＤと同じ記録密度の領域とＤＶＤと同じ記録密度の領域を一枚の光ディスクに同居させた技術は本出願人による特開平8-830906号公報にて開示されている。
【０００４】
【発明が解決しようとする課題】
ところで、記録密度や記憶容量において、ＤＶＤの上位に位置する上述した高記録密度光ディスク（以下、高密度ディスクとも称す）は、ＤＶＤよりも更に大容量の記録再生を行うものであるが、これまでに普及しているＣＤやＤＶＤとの互換性が問題点となる。この問題点を解決するために、高密度ディスクの記録再生機や再生機では、従来のＣＤやＤＶＤに対応した光学ピックアップを別途に用意していた。
しかしながら、ＣＤやＤＶＤなどの高密度ディスクの下位に位置するディスクの記録再生を行なう機器には光密度ディスクの記録再生を行なうための光学ピックアップは用意されていないので、下位互換は達成可能であっても上位互換は実現困難であった。
また、ＣＤとＤＶＤと光密度ディスクの３種類のディスクの構造は別々のものであるが、ＣＤ等の下位の記録再生機によって高密度ディスクに対する記録再生が可能であれば、利用者にとって非常に便利となるものである。
本発明は、以上のような点に鑑みてなされたものであり、その目的は、２種類の記録密度の記録領域を有する情報記録円盤を提供することにある。
【０００５】
【課題を解決するための手段】
請求項１に規定する発明は、光透過性を有する基板の一面側の同一平面上に、センターホールから半径方向に区分して異なる密度でピット等の凹凸を形成して成る第１領域及び第２領域を有する信号記録面と、前記第１領域及び第２領域を覆うよう前記基板の一面側に形成された光透過性保護膜とを備え、前記基板の他面側表面及び前記光透過性保護膜の表面のいずれか一方における前記第１領域に対応する領域に第１のレーベル印刷部を形成すると共に、他方における前記第２領域に対応する領域に第２のレーベル印刷部を形成して成ることを特徴とする情報記録円盤である。
この場合、例えば請求項２に規定するように、前記第１及び第２のレーベル印刷部の内、前記センターホール側に形成したレーベル印刷部の光透過率を５０％以上とする。
【０００６】
【発明の実施の形態】
以下に、本発明に係る情報記録円盤の一実施例を添付図面に基づいて詳述する。
図１は本発明に係る情報記録円盤の一例を示す断面模式図、図２は図１中の円盤の第１領域と第２領域を示す部分拡大図、図３は情報記録円盤を示す平面図、図４は点の配列を用いて描いた文字の一例を示す平面図、図５は図４中の点を示す部分拡大図である。
一般に、ＣＤの光学保護層の厚さは1.2mm 、ＤＶＤの光学保護層の厚さは0.6mmであり、それぞれの光ディスクの厚さは約1.2mmの光ディスクである。これら  の両方のディスクに対応した記録信号を１つの円盤に収納する事は波長選択性を持った透過反射膜を必要としてディスクの製造に複雑な工程を要した。本発明の実施例ではＣＤの記録密度と同じ記録領域とその２５〜４０倍の記録密度の記録領域とを１つのディスク平面上に収納する事を実現し、１枚の光ディスクで、ＣＤに対応した記録再生機と高密度ディスクに対応した記録再生機のどちらに於いてでも記録再生を可能とするものである。
【０００７】
図示するように、情報記録円盤としての光ディスクＤ１は、その中心にセンターホール２を有しており、このセンターホール２から半径方向外方向に順に同心円状に２つに区分して第１領域４及び第２領域６が形成され、これらの第１領域４と第２領域６は互いに異なる記録密度の信号記録面となっている。
具体的には、内周側の第１領域４は、ＣＤと同じ記録密度の記録領域であり、外周側の第２領域６は上記した高密度ディスクと同じ記録密度の記録領域である（図３も参照）。この第２領域６の記録再生に関しては、前述のように、波長が約４０５ｎｍの紫レーザを用い、記録再生レンズのＮＡを０．８５程度に高めた光ピックアップを用いる。
【０００８】
図２にも示すように、この光ディスクＤ１の例えばポリカーボネート製の光透過性の基板８の一面側の同一平面には、第１領域４と第２領域６とで形成密度（記録密度）を異ならせたピット等の凹凸１０Ａ、１０Ｂが形成されており、ここでは例えば第１領域４の凹凸１０ＡはＣＤの記録密度に対応させ、第２領域６の凹凸１０Ｂは前述した高密度ディスクの記録密度に対応させている。この両凹凸１０Ａ、１０Ｂが形成されている面には、例えばアルミニウム等よりなる光反射膜１２が形成され、更に、この上に接着層１４を介して例えばポリカーボネート等よりなる透明フィルム１６が接合して積層されている。この透明フィルム１６の厚さは、約０．１ｍｍ程度である。また、第１領域４内の内周側には、第１領域用リードイン部１８が形成され、第２領域６内の内周側には第２領域用リードイン部２０が形成される。
【０００９】
そして、第１領域４に対応させて、図１においては上面側に第１領域用のレーベル印刷部２２が形成され、第２領域６に対応させて、図１においては上記とは反対側に下面側に第２領域用のレーベル印刷部２４が形成されている。この場合、上記第１領域用のレーベル印刷部２２の光透過率を５０％以上としており、後述するように、光ピックアップのフォーカスサーボをロックさせたままでこの領域を通過できるようになっている。
このように構成した結果、図１において入射光路面は第１領域４に関しては下方となって下方よりレーザ光を入射させ、第２領域６に関しては上方となって上方よりレーザ光を入射させる。従って、実際の記録再生時にはこの光ディスクＤ１を記録再生すべき面に対応させて表裏を反転させて使用することになる。
【００１０】
また、この光ディスクＤ１の第１領域４の内周側の半径約２３ｍｍ近辺であって、第１領域用のレーベル印刷部２２が形成されている側（図１中では上面）には、この光ディスクＤ１の外周側に高記録密度の第２領域６が存在する事を示す情報が、例えばバーコード情報２６として設けられている。
図３はディスク半径が２３mmの近辺にディスクを回転させて読み取ることが出来るバーコード情報２６を示している。尚、この図示例ではバーコード情報２６はディスク１周に渡って形成されているのではなく、途中まで例えば１周の５／６程度まで形成されている。
この様な技術はＤＶＤにてBurst Cutting Aria として公知である。ＤＶＤの 例では最大１８８バイトの情報を記録再生する事が出来るので、ここにこの光ディスクＤ１が第２領域６を有することと第２領域６の開始半径を記録しておけば、記録再生機は再生時の最初にこれを読み取って、光ピックアップを第２領域６の開始半径迄早送りして、そこで第２領域６のリードイン部２０の情報を読み取り、それ以降は通常の記録再生動作を行う様にする。
【００１１】
上述したような動作を行うためにはディスク半径約２３ｍｍでバーコード情報２６を読み取った光ピックアップは、第１領域用のレーベル印刷部２２を越えて第２領域６に到達する必要がある。ここで一旦フォーカスサーボをOFFにすると 、フォーカスサーボの再ロックを、第２領域６が始まるディスク中周、場合によってはディスク半径５０ｍｍ程度の外周部で、行う必要が発生する。この様なフォーカスサーボの再ロックに関しては、一般的にディスクの面ぶれは外周に行くに従って大きくなるので、再ロックに対する危険が大きい。そこで、第１領域４のレーベル印刷部２２に対してはディスクを回転させてフォーカスサーボをロックしたまま、半径方向に光ピックアップが移動できるように第１領域用のレーベル印刷部２２の印刷方法を規定している。
【００１２】
この印刷手法は２通りの方法が有り、第１例は印刷法は通常の方法とし、前述したように印刷インキの性質を第２領域６の読み取り光に対して透過率５０％以上に設定する。これによると、往復透過率が２５％以上となり、この程度の光量低下に対しては光ピックアップはフォーカスサーボをロックさせたまま、第１領域用のレーベル印刷部２２を進み第２領域６に到達出来る。第２例は、上述のようなべた印刷を行わずに、多数の点の集合で行い、かつ前記点の大きさを読み取り光が作る当該面の光スポットの大きさよりも小さいものとし、複数の前記点にまたがる光透過率の平均値を５０％以上とすればよい。これにより、行きと帰りの往復で２５％以上の透過率が得られ、この程度の光量低下に対しては光ピックアップはフォーカスサーボをロックさせたまま、第１領域用のレーベル印刷部２２を進み第２領域６に到達出来る。
【００１３】
図４は点３０の配列を用いて文字を描いた具体例であり、［ＪＶＣ］の文字が示されている。この文字としての視認性を確保する事とフォーカスサーボが容易にロック状態を保つ条件を両立させている。
図５は図４中の文字の一部を拡大した図であり、本実施例の読み取りスポットは焦点から0.1ｍｍ離れたレーベル印刷面では直径が約０．１３mmとなるので、 レーベル印刷の点（ドット）３０として円を用いる場合は、直径ｒ１を０．１６ｍｍ以下とし、かつ点と点との距離Ｒ１を２次元方向それぞれに０．２６mmとすれば、光透過率は片道７０％以上、往復５０％以上となる。ここで、レーベル印刷の点は光透過率０としており、その面積は0.02ｍｍ2 であり、透明部分を含みこの点が存在する単位面積は0.0676ｍｍ2 であり、透過率７０％が得られることになる。
【００１４】
ここで図６を参照して上記光ディスクＤ１の記録再生機（再生機を含む）について簡単に説明する。
図６において、３２は光ディスクＤ１を回転させるスピンドルモータであり、３４はディスク半径方向へ移動する光ピックアップである。この光ピックアップ３４は例えばＣＤ再生用の光学系と、高密度ディスク再生用の光学系とを有し、選択的に使用される。この記録再生機の全体の動作は制御回路３６によりコントロールされ、光ピックアップ３４で得られた信号は記録・復調回路３８へ送られて制御回路３６で解釈され、ディスクの判別やＡ／Ｂ面の判別を行う。尚、便宜上、図１中において上面をＡ面とし、下面をＢ面とする。
そして、上記判別に基づいて、ディスク情報が再生されて、その信号は入力・出力回路４０へと出力されて行くことになる。
【００１５】
さて、次にこのような光ディスクＤ１を再生する場合について説明する。
図１においては、光ピックアップは光ディスクＤ１の下方に位置しており、第１領域４を記録再生する場合にはこの状態でよく、第２領域６を記録再生する場合には光ディスクＤ１を裏返す必要がある。
まず、光ピックアップ３４は、規格に従って、通常はディスク半径が２３ｍｍ近辺に位置するリードイン情報、ここでは第１領域用リードイン部１８（第１領域再生の場合）やバーコード情報２６（第２領域再生の場合）を読みに行く。そして、内周側の第１領域４を再生する場合には、光ピックアップ３４はそのまま第１領域４にアクセスして行く。
【００１６】
これに対して、外周側の第２領域６を再生する場合には、制御回路３６は目的とする領域が外周側に存在しているという点を認識し、光ピックアップ３４を内周側の第１領域４を通過させて外周の第２領域６へ移動させ、そして、この第２領域用リードイン部２０の情報を読み取って第２領域６に対してアクセスを行う。
ここで、光ピックアップ３４が第１領域４を通過する際、この第１領域用のレーベル印刷部２２にレーザ光が照射されることになるが、前述したようにこのレーベル印刷部２２の光透過率を５０％以上に設定しているので、光ピックアップ３４はそのフォーカスサーボをオン状態にしたままこの第１領域４を横切って通過でき、適切に第２領域用リードイン部２０にアクセスすることが可能となる。
【００１７】
以上の動作を図７に示すフローを参照してまとめると、まず、載置されたディスクの判別を行い（Ｓ１）、その結果、本実施例では、ＣＤ単体或いは高密度ディスク単体であると認識された場合には、そのまま通常のシーケンスに従って記録再生を行う（Ｓ２）。
上記判別の結果、本発明に係るディスクであると認識した場合には、次に、記録再生面がＡ面であるかＢ面であるかの判別を行う（Ｓ３）。ここで第１領域４であるＢ面を再生すると認識された場合には、上記したと同様に通常のシーケンスに従って第１領域４に対して記録再生を行う（Ｓ２）。
これに対して、Ａ面の高密度領域である第２領域６を再生すると認識された場合には、光ピックアップのフォーカスサーボをオンしたまま第１領域用のレーベル印刷部２２を横切って第２領域用リードイン部２０へ移動する（Ｓ４）。そして、その後、通常のシーケンスに従って第２領域６に対して記録再生を行うことになる（Ｓ２）。
【００１８】
尚、上記実施例では、当該光ディスクは第１領域４と第２領域６の２種類の記録領域を有し、且つ第２領域６は外周側に位置されていることを内容とする情報をバーコード情報２６として表すようにしているが、これに限定されず、第１領域用リードイン部１８においてこの情報を併せて挿入させるようにしてもよいし、第２領域６と同様の仕様の記録領域をこの第１領域用リードイン部に併設するようにしてもよい。この場合には、図８に示すように、第１領域用レーベル印刷部２２を第１領域用リードイン部１８に対応する部分には設けないようにして、この部分４２を空白状態としておく。
尚、ここではＣＤの仕様とこの２５〜４０倍の記録密度の仕様と組み合わせるように説明したが、この組み合わせに限定されないのは勿論である。
【００１９】
【発明の効果】
以上説明したように、本発明の光情報記録媒体によれば、次のように優れた作用効果を発揮することができる。
２種類の光ディスク、例えばＣＤ及びその２５〜４０倍の記録密度の光ディスクの２種類の仕様を１枚の円盤に収納し、かつ記録再生面を同一の平面に配置したため当該円盤の生産性が良く、この円盤は例えばＣＤおよび高密度ディスクなどのように２種類の用途を担う事が出来る。しかも、この情報記録円盤は高密度ディスクに対応する機器の普及が十分でなくても、広く普及している例えばＣＤ機器でも用いる事が出来る。
【図面の簡単な説明】
【図１】本発明に係る情報記録円盤の一例を示す断面模式図である。
【図２】図１中の円盤の第１領域と第２領域を示す部分拡大図である。
【図３】情報記録円盤を示す平面図である。
【図４】点の配列を用いて描いた文字の一例を示す平面図である。
【図５】図４中の点を示す部分拡大図である。
【図６】光ディスクの記録再生機を示す構成図である。
【図７】リードイン時の動作のフローを示す図である。
【図８】本発明の情報記録媒体の他の一例を示す断面図である。
【符号の説明】
２…センターホール、４…第１領域、６…第２領域、８…基板、１０Ａ，１０Ｂ…凹凸、１２…光反射膜、１４…接着層、１６…透明フィルム、１８…第１領域用リードイン部、２０…第２領域用リードイン部、２２…第１領域用レーベル印刷部、２４…第２領域用レーベル印刷部、２６…バーコード情報、Ｄ１…光ディスク（情報記録媒体）。
【図１】
0003885490.tif 000002
【図２】
0003885490.tif 000003
【図３】
0003885490.tif 000004
【図４】
0003885490.tif 000005
【図５】
0003885490.tif 000006
【図６】
0003885490.tif 000007
【図７】
0003885490.tif 000008
【図８】
0003885490.tif 000009